(57)【要約】      （修正有）【課題】作業者の属性や職能等の情報を外部から容易に把握することができるとともに、作業に著しい支障を与えることがなく、作業内容を誤り及び労働災害の招来を防止することができる作業用衣服を提供する。【解決手段】正面には、一つ又は複数の正面側ポケットが形成され、背面には、一つ又は複数の背面側ポケット７・・・１０が形成されてなるとともに、文字，記号，図形又はこれらの組合せに係る情報が表示されたシート状の表示体が外部から視認可能となるように透明な素材により形成されてなり、背面側ポケット７・・・１０の少なくとも一つは、背面側ポケット７・・・１０の内部に取出可能に収容されるとともに文字，記号，図形又はこれらの組合せに係る情報が表示されたシート状の表示体１２・・・１５が外部から視認可能となるように透明な素材により形成されてなる。【選択図】図３
0003112204.tif 000002
【実用新案登録請求の範囲】
【請求項１】
正面には、単数又は複数の正面側ポケットが形成され、背面には、単数又は複数の背面側ポケットが形成されてなるとともに、上記正面側ポケットの少なくとも一つは、該正面側ポケットの内部に取出可能に収容されるとともに文字，記号，図形又はこれらの組合せに係る情報が表示されたシート状の表示体が外部から視認可能となるように透明な素材により形成されてなり、上記背面側ポケットの少なくとも一つは、該背面側ポケットの内部に取出可能に収容されるとともに文字，記号，図形又はこれらの組合せに係る情報が表示されたシート状の表示体が外部から視認可能となるように透明な素材により形成されてなることを特徴とする作業用衣服。
【請求項２】
前記背面側ポケットの少なくとも一つは、該背面側ポケットを形成する透明な素材の占める面積が、前記正面側ポケットを形成する透明な素材の占める面積よりも広いものとされてなることを特徴とする請求項１記載の作業用衣服。
【請求項３】
前記正面側ポケットは、前記透明な素材により、胸の左側及び／又は右側に形成された胸ポケットが含まれているとともに、前記背面側ポケットは、左右方向に長さを有する長方形状に成形された長尺ポケットが上下方向に複数並んで配置されてなることを特徴とする請求項１又は２記載の何れかの作業用衣服。
【請求項４】
前記長尺ポケットは、５ｃｍ以上３０ｃｍ以下の幅とされてなるものを含むことを特徴とする請求項３記載の作業用衣服。
【請求項５】
前記長尺ポケットには、少なくとも正面が着色された表示体が収容されてなることを特徴とする請求項３又は４記載の何れかの作業用衣服。
【請求項６】
単一の素材からなることを特徴とする請求項１，２，３，４又は５記載の何れかの作業用衣服。
【考案の詳細な説明】
【技術分野】
【０００１】
本考案は、例えば、建築作業，土木作業又は配電作業等に従事する者が、各作業時において着用する作業用衣服に関するものである。
【背景技術】
【０００２】
例えば、建築作業や土木作業等に従事する者は、これまで各作業を事故無く円滑に行い、また、作業による汚れを気にすることがないように、作業用衣服を着用している。こうした作業用衣服は、市販品であったり、事業所の主体を表示する刺繍を施したものであったり、或いは、事業所独自の色に着色したものなど、各種の作業用衣服が使用されている。また、こうした作業用衣服の中には、各種の大きさのポケットが形成されているものもある。
【０００３】
ところで、各種の作業、とりわけ建築作業や土木作業等は、各職能等に応じて分業して行われる場合が多い。例えば、生産工場を建築する場合には、土木作業，建築作業，配電作業等が順番に又はそれぞれが並行して行われることがあり、作業現場おいては、それぞれ特定の事業所に属する複数の作業者が作業に従事するとともに、それぞれの作業は、各業法により定められた資格に基づき作業が行われたり、各作業分担に応じて行われたりするのが実情である。換言すれば、特定の作業は、作業（工事）依頼者から請け負った特定の請負者により行わなければならないばかりか、請負者契約の範囲内における作業であることが必要であるとともに、作業内容によっては、各種の業法又はその規則に基づいて許可された作業者により行われる必要があり、また、こうした各種の範囲内での作業がなされることにより、効率的に且つ作業事故が防止される。
【考案の開示】
【考案が解決しようとする課題】
【０００４】
しかしながら、多数の作業者が作業に従事する作業現場においては、どの作業者がどこの事業所に属するか、どのような資格を有しているか、どのような作業分担を負担しているのか等の情報を、その作業の依頼主は勿論、他の作業者であっても確実に把握することはできない。こうしたことは、同じ事業所に属する多数の作業者により作業がされる場合においても、その作業現場を管理監督する管理者にとっては、どの作業者がどのような資格を有し、どのような作業を分担しているか等を確実に把握することは困難である。そして、こうした情報に関する把握の困難性が原因となって、権限のない作業者が特定の作業に従事したり、作業内容を誤ったりすることとなり、場合によっては労働災害を招来する場合がある。すなわち、作業現場において、作業の従事者の属性，権限等に関する情報を外見から把握されることが、上記労働災害の発生を防止する観点からも必要であり、現在使用されている作業用衣服では極めて困難である。因みに、上記各種の情報を表示する手段として、各種の情報が記載された名刺サイズのカードを首から提げる方法が採用されている場合があるが、こうした方法では、事務作業を行う場合においては有効である一方、建築作業や土木作業等のような職種においては、作業に著しい支障を与え採用することができない。
【０００５】
そこで、本考案は、上述した従来の作業用衣服が有する課題を解決するために提案されたものであって、作業者の属性や職能等の情報を外部から容易に把握することができるとともに、作業に著しい支障を与えることがなく、ひいては、権限のない作業者による作業の従事、作業内容を誤り及び労働災害の招来を有効に防止することができる新規な作業用衣服を提供することを目的とするものである。
【課題を解決するための手段】
【０００６】
本考案は、上述した目的を達成するために提案されたものであり、第１の考案（請求項１記載の考案）は、正面には、一つ又は複数の正面側ポケットが形成され、背面には、一つ又は複数の背面側ポケットが形成されてなるとともに、上記正面側ポケットの少なくとも一つは、該正面側ポケットの内部に取出可能に収容されるとともに文字，記号，図形又はこれらの組合せに係る情報が表示されたシート状の表示体が外部から視認可能となるように透明な素材により形成されてなり、上記背面側ポケットの少なくとも一つは、該背面側ポケットの内部に取出可能に収容されるとともに文字，記号，図形又はこれらの組合せに係る情報が表示されたシート状の表示体が外部から視認可能となるように透明な素材により形成されてなることを特徴とするものである。
【０００７】
先ず、この第１の考案に係る作業用衣服は、作業者の上半身に着用されるものであれば、袖の有無や袖の長さが問われるものではなく、例えば、ベストも含まれる。この考案に係る作業用衣服をベストとして構成した場合には、従来の作業用衣服に重ねて着用することもでき、また、着脱が容易となる。また、上記作業用衣服は、必ずしも、正面側がボタンやファスナーにより止められるタイプのものに限定されず、所謂プルオーバータイプのものであっても良い。
【０００８】
また、この作業用衣服は、正面側ポケット及び背面側ポケットを構成要素としている。これら正面側ポケット及び背面側ポケットは、それぞれ一つ以上配置されていれば、その数は勿論、形状も限定されない。また、この考案においては、上記正面側ポケットと背面側ポケットは、それぞれ少なくとも一つは、透明な素材により形成されていることが必要であり、また、内部には、文字，記号，図形又はこれらの組合せに係る情報が表示されたシート状の表示体を収容できるものでなければならない。こうした表示体に表示される情報は、例えば、作業者が所属する事業所の名称，社標、或いは更に電話番号等（通常名刺に記載される情報等）の作業者の属性や、当該作業者が有する資格を証明する情報であっても良い。また、上記情報が表示された表示体は、シート状とされている必要があるが、名刺等のように多少可撓性を有するものも含まれる。また、透明な素材とは、上記正面側ポケット又は背面側ポケット内に収容された表示体が外部から視認できる程度の透明性を有していれば良い。但し、この第１の考案では、正面側ポケット及び背面側ポケットは、全て上記透明な素材により形成されたものばかりではなく、従来の作業用衣服と同じように、一部布等により不透明な素材によるポケットが形成されているものを含む。
【０００９】
また、第２の考案（請求項２記載の考案）は、上記第１の考案において、前記背面側ポケットの少なくとも一つは、該背面側ポケットを形成する透明な素材の占める面積が、前記正面側ポケットを形成する透明な素材の占める面積よりも広いものとされてなることを特徴とするものである。
【００１０】
この第２の考案は、正面側ポケットに形成された透明な素材の占有面積よりも、背面側ポケットに形成された透明な素材の占有面積の方が広いものであり、こうした構成により、表示体に表示された情報を外部からより明確に視認できるようにしたものである。なお、この第２の考案では、背面側ポケットが複数形成されている場合において、その全ての背面側ポケットを形成する透明な素材の占有面積が、全ての正面側ポケットのそれよりも広いことが要求されるものではなく、複数の正面側ポケットの内で、透明な素材により形成されたポケットの当該透明な素材の占有面積よりも広い面積を有する透明な素材が、何れかの背面側ポケットを形成しているものであれば良い。
【００１１】
また、第３の考案（請求項３記載の考案）は、上記第１又は第２の考案の何れかにおいて、前記正面側ポケットは、前記透明な素材により、胸の左側及び／又は右側に形成された胸ポケットが含まれているとともに、前記背面側ポケットは、左右方向に長さを有する長方形状に成形された長尺ポケットが上下方向に複数並んで配置されてなることを特徴とするものである。
【００１２】
この第３の考案では、正面側ポケットは、透明な素材により形成された胸ポケットと、長尺ポケットを構成要素とするものであり、上記胸ポケットは、胸の左側又は右側若しくは両側に形成されているものであっても良い。また、上記長尺ポケットは、前記背面側ポケットの構成要素又は一部の構成要素であり、左右方向に長さを有する長方形状に成形されたものであり、この第３の考案では、該長尺ポケットは、上下方向に複数並んで配置されている必要がある。この考案によれば、上記胸ポケットと、長尺ポケットを利用することにより、例えば、胸ポケットには名刺を、上記長尺ポケットの内で最上段の長尺ポケットには、職能としての「とび」，「大工」等の情報が、二段目の長尺ポケットには、資格としての「施工管理士」，「土木管理士」等の情報が表示された表示体を収容することができる。
【００１３】
また、第４の考案（請求項４記載の考案）は、上記第３の考案において、前記長尺ポケットは、５ｃｍ以上３０ｃｍ以下の幅とされてなるものを含むことを特徴とするものである。
【００１４】
この第４の考案では、左右方向に長さを有する長方形状に成形された長尺ポケットの幅が、５ｃｍ以上３０ｃｍ以下とされているものであり、複数の長尺ポケットが形成されている場合においては、少なくとも一つの長尺ポケットの幅が上記幅とされているものであれば良い。こうした幅とされた長尺ポケットが形成されていることにより、該長尺ポケット内には、広い面積に大きく情報が表示された表示体を収容することができ、遠距離からでも該表示体に表示された情報を確実に確認することができる。
【００１５】
また、第５の考案（請求項５記載の考案）は、前記第３又は第４の考案の何れかにおいて、前記長尺ポケットには、少なくとも正面が着色された表示体が収容されてなることを特徴とするものである。
【００１６】
この第５の考案を構成する着色された表示体は、少なくとも正面が着色されていれば良く、必ずしも裏面も含めた全体が着色されている必要はない。また、この表示体の色は、特に限定されるものではないばかりか、単一色である必要はなく、複数の色が施されているものであっても良い。このように、長尺ポケットに着色された表示体が収容された作業用衣服によれば、色により職能や資格等を識別することができ、遠距離からであってもより一層容易に確認することができる。
【００１７】
また、第６の考案（請求項６記載の考案）は、上記第１，第２，第３，第４又は第５の考案の何れかにおいて、使用されている素材が、単一の素材からなることを特徴とするものである。
【００１８】
この第６の考案は、単一の素材から構成されていることから、素材の異なる構成要素毎に取り外した上で分別処理する必要がない。こうした単一の素材としては、例えば、ポリエチレンテレフタレート（ＰＥＴ）を挙げることができ、それぞれこうした素材からなる生地，糸，ポケット，ボタン等により、単一の素材からなる作業用衣服とすることによって、破れたり汚れたりすることにより使用不能となった作業用衣服をリサイクルすることができる。
【考案の効果】
【００１９】
上記第１の考案（請求項１記載の考案）によれば、正面側ポケットや背面側ポケットを形成する透明な素材により、該ポケット内に収容された表示体であって該表示体に表示された作業者の属性や職能等の情報を外部から容易に把握することができるとともに、作業に著しい支障を与えることがない。また、このように、作業者の属性等を用意に認識することができるようになされた作業用衣服を装着することにより、作業者に対する法令や社内ルールを遵守する意識の高揚又は醸成を期待することができ、ひいては、権限のない作業者による作業の従事、作業内容を誤り及び労働災害の招来を有効に防止することができる。
【００２０】
また、第２の考案（請求項２記載の考案）では、背面側ポケットの少なくとも一つは、該背面側ポケットを形成する透明な素材の占める面積が、前記正面側ポケットを形成する透明な素材の占める面積よりも広いものとされてなることから、表示体に表示された情報を外部からより明確に視認できる。
【００２１】
また、第３の考案（請求項３記載の考案）では、正面側ポケットは、前記透明な素材により、胸の左側及び／又は右側に形成された胸ポケットが含まれているとともに、前記背面側ポケットは、左右方向に長さを有する長方形状に成形された長尺ポケットが上下方向に複数並んで配置されてなることから、上記胸ポケットと、長尺ポケットを利用することにより、例えば、胸ポケットには名刺を、上記長尺ポケットの内で最上段の長尺ポケットには、職能としての「とび」，「大工」等の情報が、二段目の長尺ポケットには、資格としての「施工管理士」や「土木管理士」等の情報が表示された表示体を収容することができ、作業者の属性に関するより一層多くの情報を視認することができる。
【００２２】
また、第４の考案（請求項４記載の考案）では、左右方向に長さを有する長方形状に成形された長尺ポケットの幅が、５ｃｍ以上３０ｃｍ以下とされていることから、該長尺ポケット内には、広い面積に大きく情報が表示された表示体を収容することができ、遠距離からでも該表示体に表示された情報を確実に確認することができる。
【００２３】
また、第５の考案（請求項５記載の考案）によれば、色により職能や資格等を識別することができ、遠距離からであってもより一層容易に確認することができる。
【００２４】
特に、第６の考案（請求項６記載の考案）では、作業用衣服が単一の素材から構成されていることから、素材の異なる構成要素毎に取り外した上で分別処理する必要がなく、破れたり汚れたりすることにより使用不能となった作業用衣服を容易にリサイクルすることができる。
【考案を実施するための最良の形態】
【００２５】
以下、本考案を実施するための最良の形態に係る作業用衣服１を、図面を参照しながら詳細に説明する。なお、この作業用衣服１は、本考案を作業者が装着するベストに適用したものである。
【００２６】
この作業衣服１は、図１に示すように、衣服本体２と、この衣服本体２の正面に形成された第１ないし第４の正面側ポケット３・・・６と、上記衣服本体２の背面に形成された第１ないし第４の背面側ポケット７・・・１０とから構成されている。
【００２７】
そして、上記衣服本体２は、図１又は図２に示すように、本実施の形態では、多数の透孔が形成されたメッシュ状の生地により構成されている。そして、この衣服本体２は、作業者の背面を覆う後見ごろ２ａと、この後見ごろ２ａから正面側に延在してなる左前見ごろ２ｂ及び右前身ごろ２ｃと、左腕を通す左袖ぐり２ｄと、右腕を通す右袖ぐり２ｅとを備えている。そして、上記左前見ごろ２ｂには、上方から下方に亘って複数のボタンホール２ｆが形成されている一方、上記右前身ごろ２ｃには、上記複数のボタンホール２ｆに対応した複数のボタン１１が配置されている。また、上記左前見ごろ２ｂの上方中途部（左胸に対応する部位）には、第１の正面側ポケット３が配置され、この第１の正面側ポケット３の下方には、第２の正面側ポケット４が配置されている。なお、上記第１の正面側ポケット３は、右胸ポケットである。また、上記右前身ごろ２ｃの上方中途部（右胸に対応する部位）には、第３の正面側ポケット５が配置され、この第３の正面側ポケット５の下方には、第４の正面側ポケット６が配置されている。なお、上記第３の正面側ポケット５は、左胸ポケットである。また、上記第１及び第３の正面側ポケット３，５は、それぞれ本考案を構成する表示体としての名刺を収容することができる程度の収容空間が形成されてなるものであり、ＰＥＴを素材とした透明なポケット形成部材３ａ，５ａが上記衣服本体２に逢着されることにより形成されている。また、上記第２及び第３の正面側ポケット４，６は、上記第１及び第３の正面側ポケット３，５よりも大きな収容空間を有してなるものであり、これら第２及び第３の正面側ポケット４，６も、ＰＥＴを素材とした透明なポケット形成部材４ａ，６ａが上記衣服本体２に逢着されることにより形成されている。
【００２８】
そして、上記第１ないし第４の正面側ポケット３・・・６には、それぞれ上端に開口（符号は省略する。）が形成され、この開口はそれぞれファスナー３ｂ・・・５ｂが配置されている。これらのファスナー３ｂ・・・５ｂは、それぞれ第１及び第２のエレメント群（符号は省略する。）と、これら第１及び第２のエレメント群を連結し又はその連結状態を解除するスライダーとから構成されている。また、上記衣服本体２の背面の後見ごろ２ａに形成された第１ないし第４の背面側ポケット７・・・１０は、本実施の形態では、それぞれ同一の大きさに成形されたものであり、横方向に長さが２７ｃｍで、７ｃｍの幅を有してなる長方形状のポケットであり、最も上方に配置された第１の背面側ポケット７の下方に、第２の背面側ポケット８が、第２の背面側ポケット８の下方に第３の背面側ポケット９が、第３の背面側ポケット９の下方に第４の背面側ポケット１０が配置されている。これら第１ないし第４の背面側ポケット７・・・１０も、上記第１ないし第４の正面側ポケット３・・・６と同じように、ＰＥＴを素材としたポケット形成部材７ａ・・・１０ａが上記衣服本体２に逢着されることにより形成されている。そして、これら第１ないし第４の背面側ポケット７・・・１０は、内部に収容される表示体を出し入れする開口（符号は省略する。）が上部に形成されてなるとともに、該開口にはそれぞれファスナー７ｂ・・・１０ｂが配置されている。これらのファスナー７ｂ・・・１０ｂは、それぞれ第１のエレメント群及び第２のエレメント群（符号は省略する。）と、これら第１及び第２のエレメント群を連結し又はその連結状態を解除するスライダーとから構成されている。そして、上記第１ないし第４の背面側ポケット７・・・１０内には、着色された表示体（以下、着色表示体という。）１２・・・１５が収容されている。これらの着色表示体１２・・・１５は、横方向に長さを有する長方形状に成形された紙片であり、この作業用衣服１を着用する作業者の図示しない資格や属性等が大きく表示されているものである。
【００２９】
上述した実施の形態に係る作業用衣服１によれば、上記第１ないし第４の正面側ポケット３・・・６や上記第１ないし第４の背面側ポケット７・・・１０を形成する透明なポケット形成部材３ａ・・・６ａ，７ａ・・・１０ａにより、該ポケット内に収容された表示体であって該表示体に表示された作業者の属性や職能等の情報を外部から容易に把握することができるとともに、作業に著しい支障を与えることがない。また、このように、作業者の属性等を容易に認識することができるようになされた作業用衣服を装着することにより、作業者に対する法令や社内ルールを遵守する意識の高揚又は醸成を期待することができ、ひいては、権限のない作業者による作業の従事、作業内容を誤り、及び労働災害の招来を有効に防止することができる。
【００３０】
特に、この実施の形態に係る作業用衣服１では、上記第１ないし第４の背面側ポケット７・・・１０のそれぞれの面積は、上記第１及び第３の正面側ポケット３，５の面積よりも広いものとされていることから、各表示体に表示された情報を外部からより明確に視認することができる。また、上記第１ないし第４の正面側ポケット３・・・６及び第１ないし第４の背面側ポケット７・・・１０は、上記ファスナー３ｂ・・・６ｂ，７ｂ・・・１０ｂにより閉塞されていることから、内部に収容された名刺などの表示体や上記着色表示体１２・・・１５が外部に脱落し紛失する等の危険性がないとともに、塵埃や水が浸入することも抑制することができる。しかも、これら第１ないし第４の正面側ポケット３・・・６及び第１ないし第４の背面側ポケット７・・・１０の正面側は、全て透明な素材からなるポケット形成部材３ａ・・・６ａ，７ａ・・・１０ａにより構成されていることから、上述した表示体を外部から視認することができるばかりか、内部に収容した書類，文房具，携帯電話等を外部から観察することができることから、作業現場への持込や、作業現場からの持出が禁止された物の持込又は持出を有効に防止することも可能となる。
【００３１】
なお、上述した実施の形態に係る作業用衣服１では、ボタン１１とボタンホール２ｆとにより前側を止める構造としたが、こうしたボタン１１を使用することなく、図示しないファスナーにより止めるものであっても良い。また、上記第２及び第４の正面側ポケット４，６は、必ずしも構成要素とされている必要性はないとともに、背面側ポケットの数や大きさも上述したものに限定されるものではない。
【００３２】
また、上記実施の形態に係る作業用衣服１では、個々の構成要素の素材を特に限定するものではないが、全ての構成要素の素材をポリエチレンテレフタレート（ＰＥＴ）のような再利用（リサイクル）可能な単一の素材により構成したものであっても良い。このように、ＰＥＴを素材とする場合において、上記衣服本体２，ポケット形成部材３ａ・・・６ａ，７ａ・・・１０ａ，これらポケット形成部材３ａ・・・６ａ，７ａ・・・１０ａを逢着する糸は勿論、上記第１ないし第４の正面側ポケット３・・・６及び第１ないし第４の背面側ポケット７・・・１０に配置されたファスナー３ｂ・・・６ｂ，７ｂ・・・１０ｂを例えばＰＥＴを素材とした図示しない市販の面状ファスナーに替えることも可能である。こうした単一の素材により構成することにより、破れたり汚れたりすることにより使用不能となった作業用衣服を、構成要素毎に分別することなく、極めて容易にリサイクルすることができる。
【図面の簡単な説明】
【００３３】
【図１】本考案の実施の形態に係る作業用衣服の正面図である。
【図２】本考案の実施の形態に係る作業用衣服の背面図である。
【図３】作業者が作業用衣服を装着した状態を示す斜視図である。
【符号の説明】
【００３４】
１    作業用衣服
２    衣服本体
３    第１の正面側ポケット
３ａ    ポケット形成部材
４    第２の正面側ポケット
４ａ    ポケット形成部材
５    第３の正面側ポケット
５ａ    ポケット形成部材
６    第４の正面側ポケット
６ａ    ポケット形成部材
７    第１の背面側ポケット
７ａ    ポケット形成部材
８    第２の背面側ポケット
８ａ    ポケット形成部材
９    第３の背面側ポケット
９ａ    ポケット形成部材
１０    第４の背面側ポケット
１０ａ    ポケット形成部材
１２・・・１５    着色表示体
【図１】
0003112204.tif 000003
【図２】
0003112204.tif 000004
【図３】
0003112204.tif 000005